(57)【要約】【課題】  扉停止装置を目立たないように扉に設けることができるドアストッパーを提供すること。【解決手段】  床面Ｆに設けられ、上下方向に移動できる磁性体からなるストッパ部材１０と、扉Ｄに設けられ、扉Ｄが開閉してストッパ部材１０の上方に定めた扉ストップ位置に位置付けられたときにストッパ部材１０を引き寄せる磁石４０を備えるとともに、磁石４０に引き寄せられたストッパ部材１０に係脱し得る係止部材５０を備え、係止部材５０がストッパ部材１０に係止した状態で扉Ｄを上記扉ストップ位置に停止可能にする扉停止装置２０とを有してなるドアストッパーであって、扉Ｄの底面に床面Ｆに向けて開口する格納部３を設け、この格納部３に扉停止装置２０が内蔵されるもの。【選択図】  図１
2020122332.tif 000002
【特許請求の範囲】
【請求項１】
床面に設けられ、上下方向に移動できる磁性体からなるストッパ部材と、
扉に設けられ、扉が開閉してストッパ部材の上方に定めた扉ストップ位置に位置付けられたときにストッパ部材を引き寄せる磁石を備えるとともに、磁石に引き寄せられたストッパ部材に係脱し得る係止部材を備え、係止部材がストッパ部材に係止した状態で扉を上記扉ストップ位置に停止可能にする扉停止装置とを有してなるドアストッパーであって、
扉の底面に床面に向けて開口する格納部を設け、この格納部に扉停止装置が内蔵されるドアストッパー。
【請求項２】
前記扉停止装置が、前記係止部材をストッパ部材に係脱させる操作部材を更に備える請求項１に記載のドアストッパー。
【請求項３】
前記扉停止装置がケースの内部に装備され、
このケースが該扉の長手方向に沿う長手状をなして、該扉の底面に設けた格納部に配設され、扉停止装置を構成する磁石、係止部材及び操作部材が該ケースの長手方向に沿う各位置に並置され、該操作部材が該ケースの下面にスライド可能に添設される請求項２に記載のドアストッパー。
【請求項４】
前記操作部材が前記ケースの長手方向に沿ってスライドする請求項３に記載のドアストッパー。
【請求項５】
前記操作部材が前記ケースの短手方向に沿う外方に臨む操作部を備える請求項４に記載のドアストッパー。
【請求項６】
前記操作部材の操作部が、前記ケースの短手方向に沿う一方向と他方向の双方に臨んで設けられる請求項５に記載のドアストッパー。
【請求項７】
前記ケースがその長手方向の両端部のそれぞれに定めた取付部によって該扉の底面に取付けられるとき、前記係止部材における前記ストッパ部材との係止部が該ケースの長手方向の中央部に配置される請求項３乃至６のいずれかに記載のドアストッパー。
【請求項８】
前記扉がアルミ框ドアであり、アルミ框からなる扉の底面における該アルミ框の長手方向に直交する方向の両側縁部に、該アルミ框の長手方向に沿う両側リブを備えるとき、前記ケースが該扉の底面の両側リブに挟まれる空所に装填されたスペーサを介して該扉の底面に取付けられる請求項３乃至７のいずれかに記載のドアストッパー。
【発明の詳細な説明】
【技術分野】
【０００１】
本発明はドアストッパーに関する。
【背景技術】
【０００２】
従来、開閉する扉を一定の扉ストップ位置に停止するためのドアストッパーがある。
従来のドアストッパーは、特許文献１、２に記載の如く、ストッパ部材と扉停止装置とを有して構成されている。ストッパ部材は、床面に設けられ、上下方向に移動できる磁性体からなるものとされている。扉停止装置は、扉に設けられ、扉が開閉してストッパ部材の上方に定めた扉ストップ位置に位置付けられたときにストッパ部材を引き寄せる磁石を備えるとともに、磁石に引き寄せられたストッパ部材に係脱し得る係止部材を備え、係止部材がストッパ部材に係止した状態で扉を上記扉ストップ位置に停止可能にする。
【先行技術文献】
【特許文献】
【０００３】
【特許文献１】特開2018-178522号公報
【特許文献２】特開2013-130024号公報
【発明の概要】
【発明が解決しようとする課題】
【０００４】
ところで、特許文献１に記載のドアストッパーは、扉の下隅部分の表面に扉停止装置を取付けるものであり、この扉停止装置が扉の表面から外方に膨出していて、居住者に目立つ存在になる。
【０００５】
また、特許文献２に記載のドアストッパーは、扉の下隅部分の木口（戸先側の端面）から底面に渡って加工した格納部に扉停止装置を取付けるものであり、この扉停止装置が扉の木口から外方に露出していて、居住者に目立つ存在になる。
【０００６】
本発明の課題は、扉停止装置を目立たないように扉に設けることができるドアストッパーを提供することにある。
【課題を解決するための手段】
【０００７】
請求項１に係る発明は、床面に設けられ、上下方向に移動できる磁性体からなるストッパ部材と、扉に設けられ、扉が開閉してストッパ部材の上方に定めた扉ストップ位置に位置付けられたときにストッパ部材を引き寄せる磁石を備えるとともに、磁石に引き寄せられたストッパ部材に係脱し得る係止部材を備え、係止部材がストッパ部材に係止した状態で扉を上記扉ストップ位置に停止可能にする扉停止装置とを有してなるドアストッパーであって、扉の底面に床面に向けて開口する格納部を設け、この格納部に扉停止装置が内蔵されるようにしたものである。
【０００８】
請求項２に係る発明は、請求項１に係る発明において更に、前記扉停止装置が、前記係止部材をストッパ部材に係脱させる操作部材を更に備えるようにしたものである。
【０００９】
請求項３に係る発明は、請求項２に係る発明において更に、前記扉停止装置がケースの内部に装備され、このケースが該扉の長手方向に沿う長手状をなして、該扉の底面に設けた格納部に配設され、扉停止装置を構成する磁石、係止部材及び操作部材が該ケースの長手方向に沿う各位置に並置され、該操作部材が該ケースの下面にスライド可能に添設されるようにしたものである。
【００１０】
請求項４に係る発明は、請求項３に係る発明において更に、前記操作部材が前記ケースの長手方向に沿ってスライドするようにしたものである。
【００１１】
請求項５に係る発明は、請求項４に係る発明において更に、前記操作部材が前記ケースの短手方向に沿う外方に臨む操作部を備えるようにしたものである。
【００１２】
請求項６に係る発明は、請求項５に係る発明において更に、前記操作部材の操作部が、前記ケースの短手方向に沿う一方向と他方向の双方に臨んで設けられるようにしたものである。
【００１３】
請求項７に係る発明は、請求項３乃至６のいずれかに係る発明において更に、前記ケースがその長手方向の両端部のそれぞれに定めた取付部によって該扉の底面に取付けられるとき、前記係止部材における前記ストッパ部材との係止部が該ケースの長手方向の中央部に配置されるようにしたものである。
【００１４】
請求項８に係る発明は、請求項３乃至７のいずれかに係る発明において更に、前記扉がアルミ框ドアであり、アルミ框からなる扉の底面における該アルミ框の長手方向に直交する方向の両側縁部に、該アルミ框の長手方向に沿う両側リブを備えるとき、前記ケースが該扉の底面の両側リブに挟まれる空所に装填されたスペーサを介して該扉の底面に取付けられるようにしたものである。
【発明の効果】
【００１５】
（請求項１）
(a)扉停止装置が扉の底面（下框の下面）に設けられた格納部であって、床面に向けて開口する格納部に内蔵された。従って、扉停止装置は扉の底面に設けられて床面に臨むものになり、扉の表面（正背面）や木口に設けられて外方に臨むことがなく、居住者に目立つことがない。
【００１６】
（請求項２）
(b)扉停止装置は、係止部材をストッパ部材に係脱させる操作部材を備える。使用者は、操作部材を用いて係止部材をストッパ部材に随意に係脱させることができる。
【００１７】
（請求項３）
(c)扉停止装置は、磁石、係止部材及び操作部材をケースの内部に装備された状態で扉の底面にコンパクトに内蔵される。
【００１８】
このとき、ケースが扉の長手方向に沿う長手状をなして、扉の底面に設けた格納部に配設され、扉停止装置を構成する磁石、係止部材及び操作部材がケースの長手方向に沿う各位置に並置され、操作部材がケースの下面にスライド可能に添設される。従って、このケースが扉の底面に取付けられたとき、磁石、係止部材及び操作部材が扉の長手方向に並置され、扉の厚み方向や高さ方向に並置されることがないから、該ケースの横断面サイズ（ケースの短手方向に沿う幅寸法、ケースの高さ方向に沿う高さ寸法）を小サイズにできる。これにより、ケースを配設するために扉の底面に設けられる格納部の横断面サイズを小型化でき、例えばアルミ框ドアからなる扉のアルミ框における下框の限られた筒内小断面の内部に必要サイズの格納部を容易に形成できる。また、木扉からなる扉においても、下框の限られた小断面内に必要サイズの格納部を容易に形成できる。
【００１９】
また、操作部材が扉の底面の格納部に取付けられたケースの下面に添設されるから、操作部材の操作部等を居住者に目立たないように設けることができるし、この操作部等を扉の狭いアンダーカットＧ（図４（Ｂ）に示した床面から扉の最下面までの距離であり、例えば10乃至15mm程度）の範囲内に納めることができる。
【００２０】
（請求項４）
(d)操作部材がケースの下面に添設されて、該ケースの長手方向にスライドするものとされる。従って、操作部材の操作部等がケースの短手方向（扉の厚み方向）にスライドすることがなく、扉の厚み方向に沿う外方に飛び出る如くに備えられることがない。これにより、操作部材の操作部等を居住者に目立たないように設けることができるし、この操作部等が居住者の足元に干渉してその居住性を損なうこともない。
【００２１】
（請求項５）
(e)操作部材がケースの短手方向に沿う外方に臨む操作部を備える。従って、使用者は扉の底面に設けた格納部に配設されたケースの短手方向に沿う外方に臨む操作部に手指の腹等を当てて、該操作部を該扉の外方から操作できる。従って、使用者は、前述した扉の狭いアンダーカット内に手指を差し入れる必要がなく、該扉の外側から上記の操作部に手指の腹を当てる等により該操作部を確実に操作でき、その操作性を向上できる。
【００２２】
（請求項６）
(f)操作部材の操作部が、ケースの短手方向に沿う一方向と他方向の双方に臨んで設けられる。従って、使用者は、上述(e)において、その手指を操作部材における両操作部のうちで、手指を当て易い操作部を選んで用いることができ、使い勝手が良い。また、後述(g)で同一の扉停止装置が吊元の異なる各扉に適用されたり、同一の扉停止装置が吊元を同じにする扉の戸先に対する取付姿勢を180度反転させる等において、扉ストップ位置に位置付けられた扉が臨む広い側傍（扉が建物壁面等に突き当たることなく開閉動できるスペース）に必ず操作部材のいずれか一方の操作部を臨ませるものになり、使用者による操作部材の操作性を良好に確保できる。
【００２３】
（請求項７）
(g)扉停止装置は、扉に内蔵された状態で、ケースが該扉の底面の長手方向に沿う長手状をなし、該ケースの取付面がその長手方向の両端部のそれぞれに定めた取付部によって該扉の底面に取付けられるとき、係止部材におけるストッパ部材との係止部が該ケースの長手方向の中央部に配置される。これにより、右吊元の扉の底面におけるケースの戸先からの取付位置（ケースの取付部が戸先に対してなす取付距離）と、左吊元の扉の底面におけるケースの戸先からの取付位置（ケースの取付部が戸先に対してなす取付距離）とを同一に設定し、かつそれらの右吊元と左吊元の各扉に対する各床面上に当該各扉に取付けたケースの長手方向の中央部のそれぞれに対応する位置に各ストッパ部材を配置するとき、それらの右吊元と左吊元の各扉の底面に同一の扉停止装置を適用できるものとなる。
【００２４】
即ち、右吊元の扉の底面に適用される扉停止装置と、左吊元の扉の底面に適用される扉停止装置とは、それらの扉停止装置のケースを180度反転させて各扉の底面に取付けることで、同一の扉停止装置の係止部材を対応する各ストッパ部材に係止させることができる。
【００２５】
（請求項８）
(h)扉がアルミ框ドアであり、アルミ框からなる扉の底面における該アルミ框の長手方向に直交する方向の両側縁部に、該アルミ框の長手方向に沿う両側リブを備えるとき、ケースの取付面が該扉の底面の両側リブに挟まれる空所に装填されたスペーサを介して該扉の底面に取付けられる。これにより、扉の底面に両側リブを備えるアルミ框ドアの底面に扉停止装置を取付けるとき、ケースの取付面がスペーサを介して該扉の底面に取付けられるものになり、アルミ框やケースを歪ませることなく、該ケースをアルミ框ドアの底面に安定的に取付けできる。
【図面の簡単な説明】
【００２６】
【図１】図１はアルミ框ドアからなる扉に適用されたドアストッパーを示し、（Ａ）は斜視図、（Ｂ）は透視図、（Ｃ）はＸ方向矢視図である。
【図２】図２はアルミ框ドアからなる扉に設けた扉停止装置を示し、（Ａ）は扉停止装置の組込過程を示す斜視図、（Ｂ）は扉停止装置の組込状態を示す斜視図である。
【図３】図３はストッパ部材を示す斜視図である。
【図４】図４は扉に設けた扉停止装置の非ロック状態を示し、（Ａ）は断面図、（Ｂ）はＸ方向矢視図、（Ｃ）はストッパ板を断面にしたＸ方向矢視図である。
【図５】図５は扉に設けた扉停止装置のロック状態を示し、（Ａ）は断面図、（Ｂ）はＸ方向矢視図、（Ｃ）はストッパ板を断面にしたＸ方向矢視図である。
【図６】図６は非ロック状態のドアストッパーを示し、（Ａ）は斜視図、（Ｂ）はケースを破断した斜視図である。
【図７】図７はロック状態のドアストッパーを示し、（Ａ）は斜視図、（Ｂ）はケースを破断した斜視図である。
【図８】図８は扉停止装置の構成部品を示す分解斜視図である。
【図９】図９はケースを示し、（Ａ）は斜視図、（Ｂ）は下方から視た斜視図、（Ｃ）は平面図である。
【図１０】図１０はケースの壁部を破断して示す斜視図である。
【図１１】図１１は磁石及び磁石ホルダを示す斜視図である。
【図１２】図１２はロックピンを示す斜視図である。
【図１３】図１３はスライダーを示し、（Ａ）は一方向から視た斜視図、（Ｂ）は他方向から視た斜視図である。
【図１４】図１４はスナップバネを示す斜視図である。
【図１５】図１５はロックレバーを示す斜視図である。
【図１６】図１６は右吊元と左吊元の各扉に同一ドアストッパーを適用した場合の各扉停止装置の取付姿勢を示す模式図である。
【図１７】図１７は右吊元の扉に適用したドアストッパーを示す模式図である。
【図１８】図１８は左吊元の扉に適用したドアストッパーを示す模式図である。
【図１９】図１９は第１の形態に係るロックレバーの非ロック状態を示し、（Ａ）は底面図、（Ｂ）は斜視図である。
【図２０】図２０は第２の形態に係るロックレバーの非ロック状態を示し、（Ａ）は底面図、（Ｂ）は斜視図である。
【図２１】図２１は第３の形態に係るロックレバーの非ロック状態を示し、（Ａ）は底面図、（Ｂ）は斜視図である。
【図２２】図２２は第３の形態に係るロックレバーのロック状態を示し、（Ａ）は底面図、（Ｂ）は斜視図である。
【図２３】図２３は木扉に適用されたドアストッパーを示し、（Ａ）は斜視図、（Ｂ）は透視図、（Ｃ）は木扉を断面にしたＸ方向矢視図である。
【図２４】図２４は木扉に設けた扉停止装置を示し、（Ａ）は扉停止装置の組込過程を示す斜視図、（Ｂ）は扉停止装置の組込状態を示す斜視図である。
【発明を実施するための形態】
【００２７】
図１、図２に示したドアストッパー１００は、床面Ｆに設けられるストッパ部材１０と、扉Ｄに設けられる扉停止装置２０とを有して構成され、開閉される扉Ｄをその開閉範囲における最大開口位置等の一定の扉ストップ位置に停止可能にする。
【００２８】
扉Ｄは戸尻に設けた蝶番を介して建物開口部に回動可能に取付けられて開閉される。本実施形態の扉Ｄはアルミ框ドアであり、アルミ框１により形成された枠内に鏡板２を設けて構成されている。
【００２９】
扉Ｄはアルミ框１において概ね四角筒状をなす下框１Ａの床面Ｆに臨む底面１Ｂに、床面Ｆに向けて開口する格納部３を備え、この格納部３に扉停止装置２０を内蔵可能にしている。格納部３は、下框１Ａの長手方向の中間部又は端部（本実施形態では戸先寄りの中間部に、下框１Ａの筒下面に切欠いた開口部３Ａと、この開口部３Ａに連なる下框１Ａの筒内空間にて形成される。格納部３は、開口部３Ａの全周に渡る開口縁部を底面１Ｂの面内に設け、結果として、格納部３が実質的に床面Ｆに向けてだけ開口し、格納部３に内蔵された扉停止装置２０を扉Ｄの正背面及び木口面が臨む外方には可及的に露出させず、該扉停止装置２０を扉Ｄの外方から目立つことのないようにしている。
【００３０】
（ストッパ部材１０の構成）
ストッパ部材１０は、床面Ｆの扉ストップ位置に対応する位置に設けられる。ストッパ部材１０は、図３に示す如く、床面Ｆに固定される基板１１と、基板１１に枢支されて上下方向に揺動できる磁性体からなる矩形状の金属製ストッパ板１２と、基板１１に枢支されたストッパ板１２を外方に露出させる状態で該基板１１に被着されるカバー１３とを有して構成される。基板１１は、該基板１１を床面Ｆに固定する止ネジのためのネジ挿通孔１１Ａを備える。ストッパ板１２は、長手方向の一端部の両側縁に設けた支軸を基板１１に設けた軸受１１Ｂに枢支され、上下方向に揺動可能にされ、長手方向の他端部の側に係止開口１２Ａを備える。カバー１３は基板１１に被着される状態で、基板１１に枢支されたストッパ板１２を外方に露出させるための窓開口１３Ａを備える。
【００３１】
（扉停止装置２０の構成）
扉停止装置２０は、図４乃至図８に示す如く、ケース３０、磁石４０、係止部材５０、操作部材６０等の組立体からなる。
【００３２】
ケース３０は、図４乃至図１０に示す如く、扉Ｄの下框１Ａに切欠いた格納部３の開口部３Ａを含む底面１Ｂに下方から添設される矩形板状の底板部３１と、底板部３１の輪郭内の上面から立上げられる概ね楕円筒状をなす壁部３２とを有する。
【００３３】
ケース３０は、磁石４０、係止部材５０、操作部材６０等をその内部に装備して扉停止装置２０を構成するものであり、扉Ｄの格納部３に配設された状態で、扉Ｄの底面１Ｂの長手方向に沿う長手状をなすものとされる。ケース３０は、底板部３１における壁部３２まわりの上面からなる取付面３３が該ケース３０の長手方向の両端部のそれぞれに定めた取付部（取付ネジ３３Ｂのためのネジ挿通孔３３Ａ）によって扉Ｄの底面１Ｂに取付けられる。
【００３４】
ケース３０は、磁石４０、係止部材５０及び操作部材６０をその長手方向に沿う各位置に並置され、磁石４０、係止部材５０、操作部材６０のそれぞれに対応する磁石装填孔３４、係止部材出入孔３５、操作部材装填孔３６を底板部３１において壁部３２に囲まれる領域内で該ケース３０の長手方向に沿う３位置のそれぞれに開口して備える。
【００３５】
ケース３０は、底板部３１の下面に、磁石装填孔３４及び係止部材出入孔３５を含む範囲に凹設されるストッパ板侵入用格納部１０Ｋと、操作部材装填孔３６を含む範囲に凹設されるレバーガイド用格納部８０Ｋを有する。また、ケース３０は、底板部３１におけるレバーガイド用格納部８０Ｋに連続する両側面にレバーガイド用格納部８０Ｌを有する。ストッパ板侵入用格納部１０Ｋには磁石４０によってケース３０側に引き寄せられたストッパ板１２の後述する先端側外縁部１２Ｃを含む先端部が侵入できる。レバーガイド用格納部８０Ｋ、８０Ｌは操作部材６０のロックレバー８０におけるレバー体８１をスライドガイドする。
【００３６】
ケース３０は、底板部３１及び壁部３２が形成する内部空間に磁石４０、係止部材５０、操作部材６０等を装備した状態で、壁部３２の上面に蓋３７を被着し、その内部空間を閉じる。蓋３７は壁部３２の長手方向に沿う両端部の上面のそれぞれに定めた取付部（取付ネジ３７Ｂのためのネジ挿通孔３７Ａ）によって壁部３２の上面に取付けられる。
【００３７】
磁石４０は、図４乃至図７に示す如く、ケース３０内に装填されて扉Ｄの下框１Ａにおける底面１Ｂに設けられ、扉Ｄが開閉して該扉Ｄが扉ストップ位置に対応する位置に設けられているストッパ部材１０の上方に位置付けられたときに、その磁力の作用により、ストッパ部材１０におけるストッパ板１２の先端部を上方に引き上げて該ストッパ板１２を揺動させ、該ストッパ板１２を傾斜状に起き上がらせる。
【００３８】
磁石４０は、図４乃至図８、図１１に示す如く、磁石ホルダ４１に挿入され、該磁石ホルダ４１の両側上部に設けられている係止爪４１Ｋにより上方から保持された状態で、ケース３０内に装填される。磁石ホルダ４１は、磁石４０を保持した状態で、ケース３０の長手方向における底板部３１の一端側に開口された磁石装填孔３４に下方から押し入れ可能にされる。
【００３９】
磁石ホルダ４１は、磁石装填孔３５におけるケース３０の長手方向で該磁石ホルダ４１を挟む両側両面に相対するように設けた両側爪部３４Ａ、３４Ａを両側に弾発的に押し開く両側突部４１Ａ、４１Ａを該磁石ホルダ４１の両側外面のそれぞれに突設して備える。磁石ホルダ４１は、ケース３０における磁石装填孔３４の両側爪部３４Ａ、３４Ａが互いに下向きにハの字をなして相対向する下向き拡開下面３４Ｂにその両側突部４１Ａ，４１Ａを圧接させつつ押し込まれ、それらの両側爪部３４Ａ、３４Ａを弾発的に押し開いて該両側爪部３４Ａ、３４Ａの間を通過させた後、弾発的に閉じ位置に復元して相対する両側爪部３４Ａ、３４Ａの上向き面３４Ｃにそれらの両側突部４１Ａ、４１Ａを配置させる。
【００４０】
このとき、磁石ホルダ４１は、両側突部４１Ａ、４１Ａが丸棒状をなすものとされており、両側爪部３４Ａ、３４Ａの上向き面３４Ｃ上にてそれらの突部４１Ａの中心軸回りで自在に傾動でき、後述するように磁石４０に引き寄せられて傾斜状をなすストッパ部材１０におけるストッパ板１２の上面の傾斜に倣うように傾動できる。
【００４１】
係止部材５０は、図４乃至図７に示す如く、ケース３０内に装填され、磁石４０に引き寄せられたストッパ部材１０のストッパ板１２に係脱できる。扉停止装置２０は、係止部材５０がストッパ板１２の係止開口１２Ａに係止した状態で、扉Ｄを扉ストップ位置に停止可能にするものになる。
【００４２】
係止部材５０は、図４乃至図８、図１２に示す如く、ロックピン５１により構成される。ロックピン５１は、棒状部５１Ａの下端部にＵ字状等の溝状係止部５２を備えるともに、棒状部５１Ａの両側部に両側突条ガイド５３を備える。
【００４３】
ロックピン５１は、ケース３０内に装填されるときに、該ケース３０において短手方向（ケース３０の長手方向に直交する方向）で壁部３２の両側内面に凹設されて上下方向に延在する両側ガイド溝３２Ａに両側突条ガイド５３を嵌合し、両側突条ガイド５３が両側ガイド溝３２Ａにガイドされてロックピン５１を上下方向にスライド自在にされる。ロックピン５１は、この上下のスライドにより、その下端部の係止部５２をケース３０の長手方向における底板３１の中央部に開口させた係止部材出入孔３５を介して、該ケース３０の内外に出入可能にする。ロックピン５１は、その他端部の係止部５２がケース３０内に引き込まれてストッパ部材１０におけるストッパ板１２の係止開口１２Ａから離隔する収納位置と、係止部５２が係止部材出入孔３５からケース３０外に突出して上記ストッパ板１２の係止開口１２Ａに係止可能に挿入し得る突出位置との間で上下動するものになる。突出位置に位置付けられたロックピン５１は、扉Ｄが扉ストップ位置に対応する位置に設けられているストッパ部材１０の上方にまで開いた後に、該扉Ｄが再び閉じ方向に移動しようとするとき、この扉Ｄとともに移動する該ロックピン５１の係止部５２が上記ストッパ板１２における係止開口１２Ａの先端側開口縁部１２Ｂ（ストッパ板１２の長手方向で軸受１１Ｂに枢支される一端部から遠い他端部の側の該係止開口１２Ａの縁部）に噛み合うように係合し、該係止開口１２Ａに安定確実に係止するものになる。
【００４４】
尚、係止部材５０は、ロックピン５１における係止開口１２Ａとの係止部５２を、上述の如くにケース３０の長手方向における底板部３１の中央部に対応させて配置するものとしてある。これにより、扉停止装置２０において、係止部材５０が装填されてなるケース３０を後述する如くに180度反転させて扉Ｄの底面１Ｂに取付けるときにも、同一の扉停止装置２０を適用できる。
【００４５】
また、ロックピン５１は突出位置において、ストッパ部材１０におけるストッパ板１２の係止開口１２Ａに係止可能に挿入されたとき、該ロックピン５１が装填されたケース３０の短手方向で、該ストッパ板１２における係止開口１２Ａの先端側開口縁部１２Ｂに相対する該ロックピン５１のいずれか一方の側部に備えた係止部５２が、該先端側開口縁部１２Ｂと係合するものになる。但し、本実施形態の扉停止装置２０にあっては、上記ケース３０の短手方向におけるロックピン５１の両側部の双方に係止部５２を備えるものとしていて、該扉停止装置２０がケース３０を後述する如くに180度反転させて扉Ｄの底面１Ｂに取付けるときにも、同一の扉停止装置２０を構成するロックピン５１の両側係止部５２のいずれか一方をして必ずストッパ板１２における係止開口１２Ａの先端側開口縁部１２Ｂに係合可能となるようにしてある。
【００４６】
係止部材５０は、ロックピン５１をストッパ部材１０に係脱させるための操作部材６０を付帯的に有する。本実施形態では、操作部材６０によってロックピン５１を前述の如くに上下にスライドさせるための従動ピン５４を該ロックピン５１に一体化して備える。ロックピン５１は、該ロックピン５１が装填されたケース３０の長手方向で、該ロックピン５１の棒状部５１Ａにおける磁石４０と反対側に臨む側面からその長手方向に張り出される直角三角形状の板状部５１Ｂを有し、この板状部５１Ｂの両側板面に該ケース３０の短手方向に突設される両側従動ピン５４を備える。
【００４７】
ロックピン５１が後述する如くに操作部材６０によって上下にスライドされたとき、上方にスライドされて収納位置に設定されるロックピン５１は、後述するスライダー７０における両側ガイド壁７１Ａの前面７１Ｆがケース３０における壁部３２の両側内面に設けた規制面３２Ｆ（図９、図１０）に当接することにて位置決めされる（図８）。また、下方にスライドされて突出位置に設定されるロックピン５１は、板状部５１Ｂの下面５１Ｆがケース３０における底板部３１に設けた規制面３１Ｆ（図９、図１０）に当接することにて位置決めされる（図５（Ａ））。
【００４８】
操作部材６０は、扉Ｄを扉ストップ位置に停止させ、又はその停止状態を解除させようとするとき、使用者に操作されて係止部材５０のロックピン５１を収納位置と突出位置との間で上下にスライドさせ、そのロックピン５１を磁石４０に引き寄せられたストッパ部材１０におけるストッパ板１２の係止開口１２Ａに係脱させる。
【００４９】
操作部材６０は、図４乃至図８に示す如く、スライダー７０、ロックレバー８０、スナップバネ９０を有して構成される。
【００５０】
スライダー７０は、図４乃至図８、図１３に示す如く、ケース３０内に装填され、該ケース３０において短手方向で相対する壁部３２の両側内面（スライドガイド３２Ｂ）と、底板部３１の上面と、蓋３７の下面の相直交する４面に囲まれてそれらの４面に摺接するスライド体７１を有し、このスライド体７１がケース３０の長手方向に沿ってスライド自在となるようにしている。
【００５１】
スライダー７０のスライド体７１は、ロックピン５１の板状部５１Ｂをスライド可能に両側から挟む両側ガイド壁７１Ａと、両側ガイド壁７１Ａに挟まれて該板状部５１Ｂを嵌合可能にする溝状ガイド部７１Ｂとを備える。両側ガイド壁７１Ａはロックピン５１の両側従動ピン５４をスライド可能に嵌合させる長孔状の斜め駆動孔７２を備える。スライド体７１は、上記のスライドにより、ロックピン５１に近接する待機位置からロックピン５１から遠くなる作業位置に移動するとき、ロックピン５１の両側従動ピン５４を斜め駆動孔７２に沿ってその上端部から下端部まで移動させ、結果として、ロックピン５１を前述した上方の収納位置から下方の突出位置にまでスライドさせるように該ロックピン５１と連係する。スライド体７１が上記作業位置から待機位置に戻り移動すれば、ロックピン５１は下方の突出位置から上方の収納位置に復帰するものになる。
【００５２】
スライダー７０のスライド体７１は、スナップバネ９０の後述する取付ピン９２を係止可能にするピン孔９２Ａを備えるとともに、係止部材５０のロックピン５１に設けられている従動ピン５４をスライド体７１の斜め駆動孔７２に導入するためのピン導入口７１Ｃをその上端面に開放して備える。
【００５３】
ロックレバー８０は、図４乃至図８に示す如く、操作部材６０のための操作部（レバー体８１に形成される操作部８３）を構成するものであり、本実施形態では、扉Ｄの底面１Ｂに沿って設けられ、該扉Ｄの厚み方向（底面１Ｂに取付けられたケース３０の短手方向）に沿う外方に臨むものとされる。本実施形態のロックレバー８０は、扉Ｄの厚み方向において、扉Ｄの外面（正背面）から外方に僅かに出ることが許されるものの、該扉Ｄの厚み内に納まって扉Ｄの外面から外方に出ないように設定されることが好ましい。
【００５４】
ロックレバー８０は、図１５に示す如く、ケース３０の長手方向における底板部３１の他端側に開口された操作部材装填孔３６を含む該底板部３１の下面に凹設してあるレバーガイド用格納部８０Ｋに下方から添設されるレバー体８１を有し、このレバー体８１が操作部８３を備えてケース３０の下面にて長手方向に沿って後述する如くにスライド自在となるようにしている。
【００５５】
ロックレバー８０のレバー体８１は矩形板状をなし、その矩形の中央部上面に相対向する２枚の両側取付片８２を突設し、この取付片８２が上記操作部材装填孔３６からケース３０内に装填される。ロックレバー８０は、ケース３０内に挿入された両側取付片８２によってスライダー７０におけるスライド体７１の端部（ケース３０内においてロックピン５１から遠い側の端部）に形成されているくびれ状係合部７３のくびれ部７３Ａを挟み込むように弾性変形して該くびれ部７３Ａを抱持し、その上端爪部８２Ａがくびれ部７３Ａの上面に係合して該スライド体７１に連結される。
【００５６】
ロックレバー８０のレバー体８１は、扉Ｄの厚み方向であるケース３０の短手方向に沿う両端部の上面のそれぞれを該レバー体８１の上記取付片８２が設けられている上面よりも高位まで立上げた両側Ｌ字状断面部８１Ａとしている。そして、レバー体８１は、ケース３０における底板部３１の下面に凹設したレバーガイド用格納部８０Ｋに下方から添設されるとき、この両側Ｌ字状断面部８１Ａの立上り部がケース３０の底板部３１における両側面において上記レバーガイド用格納部８０Ｋに連続して凹設されたレバーガイド用格納部８０Ｌにも下方から添設される。また、レバー体８１は、少なくとも一方のＬ字状断面部８１Ａと取付片８２との間の上面に、ケース３０の長手方向に沿う被ガイド溝８１Ｂを刻設されており、この被ガイド溝８１Ｂがケース３０における底板部３１の下面に凹設してあるレバーガイド用格納部８０Ｋにおいて、該ケース３０の長手方向に突設されて延在されている突条ガイド部８０Ｍ（図９）に係入される。
【００５７】
ロックレバー８０のレバー体８１は、扉Ｄの厚み方向であるケース３０の短手方向において、両側Ｌ字状断面部８１Ａの外方に臨む側面を凹状湾曲面とし、この凹状湾曲面が使用者の手指の腹を当てて操作し得る両側操作部８３（一方側の操作部８３Ｌと他方側の操作部８３Ｒ）とされている。即ち、操作部材６０は、ロックレバー８０の操作部８３をケース３０の短手方向に沿う一方側（８３Ｌ）と他方側（８３Ｒ）の双方に臨んで設けるものとしている。これにより、使用者は、ロックレバー８０のいずれか一方の操作部８３（８３Ｌ又は８３Ｒ）に手指の腹を当てて、該ロックレバー８０にケース３０の長手方向に沿うスライド操作力を付与し、ケース３０の長手方向でレバーガイド用格納部８０Ｋ、８０Ｌが設けられている範囲内において該ロックレバー８０をそれらのレバーガイド用格納部８０Ｋ、８０Ｌ及び突条ガイド部８０Ｍにガイドさせて該ケース３０の長手方向にスライドさせる。即ち、ロックレバー８０は、ケース３０の長手方向において、ロックピン５１に近い側の非ロック位置と、ロックピン５１から遠い側のロック位置のいずれかに切換設定される。
【００５８】
従って、操作部材６０は、ロックレバー８０が上述の如くにスライドされて非ロック位置とロック位置のいずれかに設定されるとき、このロックレバー８０に連結されているスライダー７０の前述したスライド操作を介して、このスライダー７０に連係されている係止部材５０のロックピン５１を前述した如くにスライドさせ、結果として、ロックピン５１の係止部５２をストッパ部材１０におけるストッパ板１２の係止開口１２Ａから離隔する収納位置と、ロックピン５１の係止部５２をそのストッパ板１２の係止開口１２Ａに係止させる突出位置とに切換設定できる。
【００５９】
ここで、操作部材６０は、ケース３０における壁部３２とスライダー７０との間にＵ字状のスナップバネ９０（図１４）を介装している。スナップバネ９０は一端側取付ピン９１を壁部３２に設けたピン孔９１Ａに係止し、他端側取付ピン９２をスライダー７０におけるスライド体７１のロックピン５１から遠い側の側面に設けたピン孔９２Ａに係止し、更に、このスライド体７１のピン孔９２Ａから突き出た取付ピン９２を壁部３２においてケース３０の長手方向に沿って延在させた長孔状のガイド孔９２Ｂにスライド可能に係入してある。スナップバネ９０は、スライダー７０がケース３０に対して前述の如くにスライドするとき、ケース３０に支持された状態でスライダー７０に弾発力を及ぼし、スライダー７０のスライド過程の中間位置を挟む一方側と他方側で該スライダー７０に及ぼす弾発力の向きを反転可能にしている。これにより、ロックレバー８０が非ロック位置に設定されたとき、スナップバネ９０は、スライダー７０を待機位置の側に付勢し、このスライダー７０に連係する係止部材５０のロックピン５１を収納位置に停留させるように該ロックピン５１を付勢する。他方、ロックレバー８０がロック位置に設定されたとき、スナップバネ９０は、スライダー７０を作業位置の側に付勢し、このスライダー７０に連係する係止部材５０のロックピン５１を突出位置に停留させるように該ロックピン５１を付勢する。
【００６０】
また、本実施形態の扉Ｄは前述した如くのアルミ框ドアであり、アルミ框１からなる下框１Ａは図１、図２、図４、図５に示す如く、底面１Ｂにおける該アルミ框１の長手方向に直交する方向の両側縁部に、アルミ框１の長手方向に沿う両側リブ１Ｒを備えている。そこで、アルミ框１の底面１Ｂに取付けられるケース３０は、その底板部３１における壁部３２まわりの取付面３３が該底面１Ｂの両側リブ１Ｒに挟まれる空所に装填されたスペーサ３８を介して該底面１Ｂに取付けられる。即ち、スペーサ３８は、図２、図４乃至図８に示す如く、ケース３０における壁部３２の外周に遊挿される長孔部３８Ａを備えるとともに、ケース３０における底板部３１の長手方向サイズと同一の板長、底面１Ｂの両側リブ１Ｒがなす間隔に嵌合し得る板幅、及び両側リブ１Ｒのリブ高さと同一の板厚を備える。これにより、ケース３０の底板部３１に設けたネジ挿通孔３３Ａ、スペーサ３８に設けたネジ挿通孔３８Ｂに挿通された取付ネジ３３Ｂが、アルミ框１の底面１Ｂに設けたネジ孔３Ｂに螺着され、ケース３０の取付面３３がスペーサ３８を介して、アルミ框１の底面１Ｂに取付けられる。
【００６１】
（扉停止装置２０の組立／取付手順）（図４乃至図７）
(1)ケース３０の内部に磁石４０を装填する。
磁石４０は、磁石ホルダ４１に挿入されて保持された状態とされる。磁石ホルダ４１は、ケース３０における底板部３１の一端側に開口させた磁石装填孔３４に設けてある両側爪部３４Ａ、３４Ａを、その両側突部４１Ａ、４１Ａによって下方から押し開き、ケース３０の内部に装填される。ケース３０の内部に装填された磁石ホルダ４１の両側突部４１Ａ、４１Ａは両側爪部３４Ａ、３４Ａの上向き面３４Ｃに載置され、その上向き面３４Ｃの上で傾動可能とされる。
【００６２】
(2)ケース３０の内部に係止部材５０、操作部材６０のスライダー７０及びスナップバネ９０を装填する。
【００６３】
スナップバネ９０の一端側取付ピン９１をケース３０の壁部３２に設けたピン孔９１Ａに係止させるとともに、このスナップバネ９０の他端側取付ピン９２をスライダー７０のスライド体７１に設けたピン孔９２Ａに係止させ、更にピン孔９２Ａから突き出たピン９２をケース３０の壁部３２に設けたガイド孔９２Ｂにスライド可能に係入させる。
【００６４】
係止部材５０及びスライダー７０は、係止部材５０のロックピン５１に設けられている従動ピン５４をスライダーの上端面に開放されているピン導入口７１Ｃ経由でスライド体７１の斜め駆動孔７２に係入したサブ組立体とされ、このサブ組立体を構成するスライダー７０をケース３０の内部に取付ける。
【００６５】
そして、係止部材５０のロックピン５１が備える両側突条ガイド５３をケース３０における壁部３２の両側内面に凹設されている両側ガイド溝３２Ａに嵌合させ、ロックピン５１を上下方向にスライド自在にする。そして、ロックピン５１の下端部の係止部５２がケース３０における底板部３１の中央部に開口させた係止部材出入孔３５に出入できる位置に設定される。これにより、係止部材５０は、ロックピン５１の上述の上下のスライドにより、ロックピン５１の下端部の係止部５２がケース３０内に引き込まれてストッパ部材１０におけるストッパ板１２の係止開口１２Ａから離隔する収納位置と、係止部５２が係止部材出入孔３５からケース３０外に突出してストッパ部材１０におけるストッパ板１２の係止開口１２Ａに係止可能に挿入し得る突出位置との間で上下動可能にされる。
【００６６】
ケース３０の内部に係止部材５０、操作部材６０のスライダー７０及びスナップバネ９０が上述の如くにして装填された状態下で、ケース３０における壁部３２の上面に蓋３７を被着する。
【００６７】
即ち、操作部材６０のスライダー７０は、そのスライド体７１がケース３０において短手方向で相対する壁部３２の両側内面（スライドガイド３２Ｂ）と、底板部３１の上面と、蓋３７の下面の相直交する４面に囲まれ、ケース３０の長手方向で待機位置と作業位置との間をスライド自在になり、該スライダー７０に連係する係止部材５０のロックピン５１を上方の収納位置と下方の突出位置との間で移動可能にする。
【００６８】
（3）操作部材６０におけるロックレバー８０をケース３０における底板部３１のレバーガイド用格納部８０Ｋ、８０Ｌに下方から添設する。
【００６９】
ロックレバー８０におけるレバー体８１の上面に突設してある両側取付片８２を、ケース３０における底板部３１の他端側に開口させた操作部材装填孔３６からケース３０内に挿入する。ケース３０内に装填されているスライダー７０のスライド体７１に形成されているくびれ状係合部７３のくびれ部７３Ａを上記取付片８２により抱持し、その上端爪部８２Ａをくびれ部７３Ａの上面に係合し、ロックレバー８０を該スライド体７１に連結するものとする。
【００７０】
ロックレバー８０のレバー体８１は、ケース３０の長手方向でレバーガイド用格納部８０Ｋ、８０Ｌが形成されている範囲において、それらのレバーガイド用格納部８０Ｋ、８０Ｌ及び突条ガイド部８０Ｍにガイドされてスライド可能にされ、非ロック位置とロック位置のいずれかに切換設定可能にされる。これにより、このロックレバー８０に連結されているスライダー７０のスライド体７１を待機位置と作業位置のいずれかに移動し、このスライダー７０に連係されてケース部材５０のロックピン５１を収納位置と突出位置のいずれかに移動可能にするものとなる。
【００７１】
(4)上述(1)乃至(3)により組立てられた扉停止装置２０は、扉Ｄを構成するアルミ框１における下框１Ａの底面１Ｂに設けられ、床面Ｆに向けて開口する格納部３に内蔵される。このとき、ケース３０の底板部３１における壁部３２まわりの取付面３３が、上記底面１Ｂの両側リブ１Ｒに挟まれる空所に装填されたスペーサ３８を介してアルミ框１の底面１Ｂに取付けられる。
【００７２】
（ドアストッパー１００の使用手順）（図４乃至図７）
ドアストッパー１００を用いて扉Ｄを一定の扉ストップ位置に仮止めし、更には停止させる手順について説明する。ここで、扉Ｄを「仮止め」するとは、下記(2)、(3)において、扉ストップ位置に到達した扉Ｄを開き方向側に対して制止し、閉じ方向側には戻り移動可能にすることをいう。また、扉Ｄを「停止」するとは、仮止めされた扉Ｄの閉じ方向側への戻り移動を下記(4)において阻止し、該扉Ｄを閉じ方向側と開き方向側の双方に対して制止し、扉ストップ位置に停止させ続けることをいう。尚、図４、図５において、「開き方向」は扉Ｄが閉じ位置から開いてくる方向を示し、「閉じ方向」は扉Ｄが閉じ位置に向けて閉じていく方向を示す。
【００７３】
(1)通常状態では、扉Ｄを構成するアルミ框１の底面１Ｂに取付けてある扉停止装置２０に設けられているロックレバー８０が非ロック位置に設定されている。これにより、ロックレバー８０のレバー体８１に連結されているスライダー７０のスライド体７１は待機位置に位置付けられ、このスライダー７０のスライド体７１に連係されている係止部材５０におけるロックピン５１の下端部の係止部５２が収納位置に位置付けられる。
【００７４】
(2)扉停止装置２０を構成するロックレバー８０が上述(1)の非ロック位置に設定されたまま、扉Ｄがその開閉範囲において開閉操作され、例えば最大開放位置に定めた扉ストップ位置に到達するに至ると、扉Ｄを構成するアルミ框１の底面１Ｂに取付けてある扉停止装置２０に設けてある磁石４０が、図４、図６に示す如く、床面Ｆの当該扉ストップ位置に対応する位置に設けられているストッパ部材１０のストッパ板１２を引き寄せる。これにより、ストッパ板１２が基板１１の軸受１１Ｂまわりに揺動してカバー１３の窓開口１３Ａから傾斜状に起き上がると、このストッパ板１２の傾斜の上り勾配端となる先端側外縁部１２Ｃ（ストッパ板１２の長手方向で軸受１１Ｂに枢支される一端部から遠い他端部の側の外縁部）は、図４に示す如く、ケース３０における底板部３１の下面に設けてあるストッパ板侵入用格納部１０Ｋの扉閉じ方向側の係止隅部１０Ｌに当たって該扉Ｄを開き方向側に対して制止し、該扉Ｄを仮止めする。
【００７５】
(3)扉Ｄの上述(2)の仮止め状態で、使用者が扉停止装置２０を構成するロックレバー８０をロック位置に切換えることなく、上述(1)の非ロック位置のままにしておく場合には、係止部材５０のロックピン５１が収納位置に維持され、該ロックピン５１の下端部の係止部５２がストッパ部材１０のストッパ板１２における係止開口１２Ａから離隔され続け、該ストッパ板１２Ａに挿入されることがない。
【００７６】
従って、使用者が上記扉Ｄを上記扉ストップ位置から閉じ方向側に閉じ動作させようとして、扉Ｄに閉じ操作力を付与すると、これによって回動する扉Ｄとともに移動するケース３１の底板部３１の下面（ストッパ板侵入用凹部１０Ｋ）が上述(2)で傾斜状の起き上がり状態にあるストッパ板１２の上面を押し下げつつ閉じ方向に移動し、該扉Ｄを扉ストップ位置よりも閉じ方向側に戻り移動可能にする。扉Ｄが扉ストップ位置よりも閉じ方向側に移動すると、扉停止装置２０の磁石４０はもはやストッパ部材１０のストッパ板１２を引き寄せることがなく、ストッパ板１２はカバー１３の窓開口１３Ａ内に没入するものになる。
【００７７】
(4)扉Ｄの上述(2)の仮止め状態で、使用者が扉Ｄを上述(2)の扉ストップ位置に停止し続けるべく、扉停止装置２０を構成するロックレバー８０をロック位置に切換えると、図５、図７に示す如く、係止部材５０のロックピン５１が収納位置から突出位置に移動され、該ロックピン５１の下端部の係止部５２がストッパ部材１０におけるストッパ板１２の係止開口１２Ａに挿入される。
【００７８】
これにより、使用者が扉Ｄを上記扉ストップ位置から閉じ方向側に閉じ動作させようとして、扉Ｄに閉じ操作力を付与すると、これによって扉Ｄとともに移動しようとするロックピン５１の下端部の係止部５２が上述(2)で傾斜状の起き上がり状態にあるストッパ板１２の先端側開口縁部１２Ｂに係合する。従って、ロックピン５１はストッパ板１２の係止開口１２Ａに安定的に係止可能になり、扉Ｄの閉じ方向側への戻り移動を阻止し、該扉Ｄをこの扉ストップ位置に停止させ続ける。
【００７９】
尚、扉Ｄの開き方向側への移動は、ケース３０における底板部３１の下面のストッパ板侵入用凹部１０Ｋの係止隅部１０Ｌが、上述(2)で傾斜状の起き上がり状態にあるストッパ板１２の先端側外縁部１２Ｃに当たることにて阻止される。従って、この(4)で、扉Ｄは扉ストップ位置に位置付けられて閉じ方向側と開き方向側の双方への移動を停止され続けるものになる。
【００８０】
(5)使用者が扉停止装置２０を構成するロックレバー８０を非ロック位置に切換えれば、扉停止装置２０は前述(1)の通常状態に復帰し、上述(4)の扉Ｄの停止維持状態を解除できる。
【００８１】
ここで、ロックレバー８０における操作部８３の各種形態について説明する（図１９乃至図２２）。
【００８２】
第１の形態に係るロックレバー８０は、図１９に示す如く、操作部８３を凹状湾曲面とし、この操作部８３を扉Ｄの下框１Ａの扉厚ｔに納めたものである。図１９は非ロック位置にあるロックレバー８０を示す。
【００８３】
第２の形態に係るロックレバー８０は、図２０に示す如く、操作部８３を凸状湾曲面とし、この操作部８３を扉Ｄの下框１Ａの扉厚ｔに納めたものである。図２０は非ロック位置にあるロックレバー８０を示す。
【００８４】
第３の形態に係るロックレバー８０は、図２１、図２２に示す如く、操作部８３を扉Ｄの下框１Ａの扉厚ｔから外方に突出させた突起状にしたものである。図２１は非ロック位置にあるロックレバー８０を示し、図２２はロック位置にあるロックレバー８０を示しており、操作部８３が扉面から出ているので、非ロック位置とロック位置を識別し易い。
【００８５】
従って、ドアストッパー１００によれば、以下の作用効果を奏する。
(a)扉停止装置２０が扉Ｄの底面１Ｂ（下框１Ａの下面）に設けられた格納部３であって、床面Ｆに向けて開口する格納部３に内蔵された。従って、扉停止装置２０は扉Ｄの底面１Ｂに設けられて床面Ｆに臨むものになり、扉Ｄの表面（正背面）や木口に設けられて外方に臨むことがなく、居住者に目立つことがない。
【００８６】
(b)扉停止装置２０は、係止部材５０（ロックピン５１）をストッパ部材１０のストッパ板１２に係脱させる操作部材６０を備える。使用者は、操作部材６０を用いて係止部材５０（ロックピン５１）をストッパ部材１０のストッパ板１２に随意に係脱させることができる。
【００８７】
(c)扉停止装置２０は、磁石４０、係止部材５０（ロックピン５１）及び操作部材６０をケース３０の内部に装備された状態で扉Ｄの底面１Ｂにコンパクトに内蔵される。
【００８８】
このとき、ケース３０が扉Ｄの長手方向に沿う長手状をなして、扉Ｄの底面１Ｂに設けた格納部３に配設され、扉停止装置２０を構成する磁石４０、係止部材５０（ロックピン５１）及び操作部材６０がケース３０の長手方向に沿う各位置に並置され、操作部材６０がケース３０の下面にスライド可能に添設される。従って、このケース３０が扉Ｄの底面１Ｂに取付けられたとき、磁石４０、係止部材５０（ロックピン５１）及び操作部材６０が扉Ｄの長手方向に並置され、扉Ｄの厚み方向や高さ方向に並置されることがないから、該ケース３０の横断面サイズ（ケース３０の短手方向に沿う幅寸法ｗ、ケース３０の高さ方向に沿う高さ寸法ｈ）を小サイズにできる。これにより、ケース３０を配設するために扉Ｄの底面１Ｂに設けられる格納部３の横断面サイズを小型化でき、例えばアルミ框ドアからなる扉Ｄのアルミ框１における下框１Ａの限られた小断面の内部に必要サイズの格納部３を容易に形成できる。また、後述する木扉４からなる扉Ｄにおいても、下框１Ａの限られた小断面内に必要サイズの格納部３を容易に形成できる。
【００８９】
また、操作部材６０が扉Ｄの底面１Ｂの格納部３に取付けられたケース３０の下面に添設されるから、操作部材６０のロックレバー８０の操作部８３を居住者に目立たないように設けることができるし、このロックレバー８０の操作部８３を扉Ｄの狭いアンダーカットＧ（図４（Ｂ）に示した床面から扉Ｄの最下面までの距離であり、例えば10乃至15mm程度）の範囲内に納めることができる。
【００９０】
(d)操作部材６０のロックレバー８０がケース３０の下面に添設されて、該ケース３０の長手方向にスライドするものとされる。従って、操作部材６０におけるロックレバー８０の操作部８３等がケース３０の短手方向（扉Ｄの厚み方向）にスライドすることがなく、扉Ｄの厚み方向に沿う外方に飛び出る如くがない。これにより、操作部材６０のロックレバー８０における操作部８３等を居住者に目立たないように設けることができるし、このロックレバー８０における操作部８３等が居住者の足元に干渉してその居住性を損なうこともない。
【００９１】
(e)操作部材６０におけるロックレバー８０の操作部８３がケース３０の短手方向に沿う外方に臨む操作部８３を備える。従って、使用者は扉Ｄの底面１Ｂに設けた格納部３に配設されたケース３０の短手方向に沿う外方に臨むロックレバー８０の操作部８３に手指の腹等を当てて、該ロックレバー８０の操作部８３を該扉Ｄの外方から操作できる。従って、使用者は、前述した扉Ｄの狭いアンダーカットＧ内に手指を差し入れる必要がなく、該扉Ｄの外側から上記のロックレバー８０の操作部８３に手指の腹を当てる等により該ロックレバー８０の操作部８３を確実に操作でき、その操作性を向上できる。
【００９２】
(f)操作部材６０のロックレバー８０の操作部８３（８３Ｌ、８３Ｒ）が、ケース３０の短手方向に沿う一方向と他方向の双方に臨んで設けられる。従って、使用者は、上述(e)において、その手指を操作部材６０における両操作部８３（８３Ｌ、８３Ｒ）のうちで、手指を当て易いロックレバー８０の操作部８３（８３Ｌ、８３Ｒ）を選んで用いることができ、使い勝手が良い。また、後述(g)で同一の扉停止装置２０が吊元の異なる各扉Ｄに適用されたり、同一の扉停止装置２０が吊元を同じにする扉Ｄの戸先に対する取付姿勢を180度反転させる等において、扉ストップ位置に位置付けられた扉Ｄが臨む広い側傍（扉Ｄが建物壁面等に突き当たることなく開閉動できるスペース）に必ずロックレバー８０のいずれか一方の操作部（８３Ｌ又は８３Ｒ）を臨ませるものになり、使用者による操作部材６０の操作性を良好に確保できる。
【００９３】
(g)扉停止装置２０は、扉Ｄに内蔵された状態で、ケース３０が該扉Ｄの底面１Ｂの長手方向に沿う長手状をなし、該ケース３０の取付面３３がその長手方向の両端部のそれぞれに定めた取付部（ネジ挿通孔３３Ａ）によって該扉Ｄの底面１Ｂに取付けられるとき、係止部材５０（ロックピン５１）におけるストッパ部材１０のストッパ板１２との係止部５２が該ケース３０の長手方向の中央部に配置される。これにより、図１６に示す如く、右吊元の扉Ｄの底面１Ｂにおけるケース３０の戸先からの取付位置（ケース３０の取付部（ネジ挿通孔３３Ａ）が戸先に対してなす取付距離）と、左吊元の扉Ｄの底面１Ｂにおけるケース３０の戸先からの取付位置（ケース３０の取付部（ネジ挿通孔３３Ａ）が戸先に対してなす取付距離）とを同一に設定し、かつそれらの右吊元と左吊元の各扉Ｄに対する各床面Ｆ上に当該各扉Ｄに取付けたケース３０の長手方向の中央部のそれぞれに対応する位置に各ストッパ部材１０のストッパ板１２を配置するとき、それらの右吊元と左吊元の各扉Ｄの底面１Ｂに同一の扉停止装置２０を適用できるものとなる。
【００９４】
即ち、右吊元の扉Ｄの底面１Ｂに適用される扉停止装置２０と、左吊元の扉Ｄの底面１Ｂに適用される扉停止装置２０とは、それらの扉停止装置２０のケース３０を180度反転させて各扉Ｄの底面１Ｂに取付けることで、同一の扉停止装置２０の係止部材５０（ロックピン５１）を対応する各ストッパ部材１０のストッパ板１２に係止させることができる。
【００９５】
そして、このとき、右吊元と左吊元のいずれの扉Ｄであっても、ロックレバー８０における操作部８３（８３Ｌ、８３Ｒ）の位置は戸先側（図１６（Ａ））に設けることもできるし、戸先側と逆側（図１６（Ｂ））に設けることもできる。即ち、同一の扉停止装置２０が吊元を右側（又は左側）として同じにする扉Ｄに適用させるに際し、各扉停止装置２０の取付姿勢を180度反転させることにより、各扉Ｄに対する操作部８３（８３Ｌ、８３Ｒ）の位置を戸先側（図１６（Ａ））と戸先側と逆側（図１６（Ｂ））のいずれかに設定替えできる。
【００９６】
即ち、右吊元の扉Ｄを上から視た図１７の右吊元の扉Ｄの場合（図１７（Ａ）、（Ｂ）は図１６の右吊元における（Ａ）、（Ｂ）に対応する）も、左吊元の扉Ｄを上から視た図１８の左吊元の扉Ｄの場合（図１８（Ａ）、（Ｂ）は図１６の左吊元における（Ａ）、（Ｂ）に対応する）も、同一の扉停止装置２０を180度反転して当該扉Ｄに取付けても、床面Ｆ上に配置したストッパ部材１０との係止位置は変わらない。
【００９７】
従って、本発明の扉停止装置２０によれば、扉Ｄに対する取付方向（ロックレバー８０における操作部８３を戸先側とするか、戸先側と逆側にするか等）が特定されないので、ロックレバー８０の側を戸先側と、その逆側のいずれの方向に取付けても機能する。施工者が扉停止装置２０の取付方向を考えることなく取付けでき、施工性が良いものになる。
【００９８】
(h)扉Ｄがアルミ框ドアであり、アルミ框１からなる扉Ｄの底面１Ｂにおける該アルミ框１の長手方向に直交する方向の両側縁部に、該アルミ框１の長手方向に沿う両側リブ１Ｒを備えるとき、ケース３０の取付面３３が該扉Ｄの底面１Ｂの両側リブ１Ｒに挟まれる空所に装填されたスペーサ３８を介して該扉Ｄの底面１Ｂに取付けられる。これにより、扉Ｄの底面１Ｂに両側リブ１Ｒを備えるアルミ框ドアの底面１Ｂに扉停止装置２０を取付けるとき、ケース３０の取付面３３がスペーサ３８を介して該扉Ｄの底面１Ｂに取付けられるものになり、アルミ框１やケース３０を歪ませることなく、該ケース３０をアルミ框ドアの底面１Ｂに安定的に取付けできる。
【００９９】
ドアストッパー１００の扉停止装置２０は、図２３、図２４に示す如く、木扉４からなる扉Ｄに適用することもできる。このとき、扉Ｄは、木扉４を構成する下框４Ａの床面Ｆに臨む底面４Ｂに、床面Ｆに向けて開口する格納部５を備え、この格納部５に扉停止装置２０を内蔵可能にする。木扉４に適用される扉停止装置２０にあっては、前述したスペーサ３８を用いることなく、ケース３０の底板部３１における壁部３２まわりの取付面３３を底面４Ｂに直接取付けできる。
【０１００】
以上、本発明の実施例を図面により詳述したが、本発明の具体的な構成はこの実施例に限られるものではなく、本発明の要旨を逸脱しない範囲の設計の変更等があっても本発明に含まれる。
【産業上の利用可能性】
【０１０１】
本発明に係るドアストッパーによれば、扉停止装置を目立たないように扉に設けることができる。
【符号の説明】
【０１０２】
１００  ドアストッパー
Ｆ  床面
Ｄ  扉
１  アルミ框
１Ｂ  底面
３  格納部
４  木扉
４Ｂ  底面
５  格納部
１０  ストッパ部材
１２  ストッパ板
２０  扉停止装置
３０  ケース
３３  取付面
４０  磁石
４１  磁石ホルダ
５０  係止部材
５１  ロックピン
５２  係止部
６０  操作部材
７０  スライダー
８０  ロックレバー
８３、８３Ｌ、８３Ｒ  操作部
【図１】
2020122332.tif 000003
【図２】
2020122332.tif 000004
【図３】
2020122332.tif 000005
【図４】
2020122332.tif 000006
【図５】
2020122332.tif 000007
【図６】
2020122332.tif 000008
【図７】
2020122332.tif 000009
【図８】
2020122332.tif 000010
【図９】
2020122332.tif 000011
【図１０】
2020122332.tif 000012
【図１１】
2020122332.tif 000013
【図１２】
2020122332.tif 000014
【図１３】
2020122332.tif 000015
【図１４】
2020122332.tif 000016
【図１５】
2020122332.tif 000017
【図１６】
2020122332.tif 000018
【図１７】
2020122332.tif 000019
【図１８】
2020122332.tif 000020
【図１９】
2020122332.tif 000021
【図２０】
2020122332.tif 000022
【図２１】
2020122332.tif 000023
【図２２】
2020122332.tif 000024
【図２３】
2020122332.tif 000025
【図２４】
2020122332.tif 000026